(57)【要約】【課題】  ディスクを傷付けず待機状態から不測に落下しないようにすること。【解決手段】  ガイドフラップ１４に対して接近離間可能で正逆回転可能なガイドローラ１５に一対のテーパ面１５ａ，１５ｂが形成され、ガイドフラップ１４のディスク対向面１４ａの両端に所定間隔をおいて複数の突条部２１〜２６が一体突設され、該各突条部２１〜２６の頂縁２１ａ〜２６ａが各テーパ面１５ａ，１５ｂとは逆方向に傾斜されており、アンローディング時に、ディスクＤをガイドローラ１５の各テーパ面１５ａ，１５ｂと各突条部２１〜２６の傾斜状頂縁２１ａ〜２６ａとで挟持して、そのディスクＤの半分以上がディスク挿入口から外に突出されている待機状態を保持し、ディスク対向面１４ａにおける待機状態のディスクＤの外周縁上部に対向する部分を挟持区域Ａとし、その挟持区域Ａをガイドローラ１５に向けてわずかに膨らませて膨出面３２が形成されている。【選択図】        図１
2011113600.tif 000002
【特許請求の範囲】
【請求項１】
シャーシ本体と該シャーシ本体に被せた蓋板とからなるローダーシャーシ内にターンテ
ーブル及び光ピックアップが配置され、該ローダーシャーシの前面のディスク挿入口に接
近して蓋板にガイドフラップが固定されると共に、該ガイドフラップに対して接近離間可
能で正逆回転可能なガイドローラが設けられ、該ガイドローラの外周面にそのガイドロー
ラの中央からその両端に向かって外径を徐々に大きくした一対のテーパ面が形成され、前
記ガイドフラップのディスク対向面の両端に所定間隔をおいて複数の突条部がガイドロー
ラと平行して一体突設され、該各突条部の頂縁が前記各テーパ面とは逆方向に傾斜されて
おり、ローディング時に、ディスクを垂直状態にしてディスク挿入口に挿入し、その挿入
したディスクをガイドローラの各テーパ面と各突条部の傾斜状頂縁とで挟持して搬入させ
、該ディスクをターンテーブルにより高速回転させて光ピックアップによりそのディスク
に記録されている情報を読み取り、アンローディング時に、上記とはほぼ逆の手順でディ
スクを搬出させ、該ディスクをガイドローラの各テーパ面と各突条部の傾斜状頂縁とで挟
持して、そのディスクの半分以上がディスク挿入口から外に突出されている待機状態を保
持するようにしたディスク装置において、前記ガイドフラップのディスク対向面における
待機状態のディスクの外周縁上部に対向する部分を挟持区域とし、その挟持区域をガイド
ローラに向けてわずかに膨らませて膨出面が形成されていることを特徴とするディスク装
置。
【請求項２】
前記ガイドフラップの裏面の挟持区域に対向する位置に突起部が一体突設されており、
該突起部を前記蓋板に押し付けることにより、挟持区域をガイドローラに向けてわずかに
膨らませて膨出面が形成されていることを特徴とする請求項１に記載のディスク装置。
【発明の詳細な説明】
【技術分野】
【０００１】
本発明は、例えばＤｉｓｃスロットローディング機構方式のＢｌｕ−ｒａｙ  Ｄｉｓｃ
式ディスク装置（レコーダまたはプレーヤ）に関し、特に、ディスクを傷付けず待機状態
から不測に落下しないようにしたものである。
【背景技術】
【０００２】
図５の斜視図及び図６の縦断面図はＤｉｓｃスロットローディング機構方式のＢｌｕ−
ｒａｙ  Ｄｉｓｃ式ディスク装置１を垂直状態で配置した液晶テレビなどの薄型テレビ２
を示すものである。
【０００３】
前記ディスク装置１は、シャーシ本体３Ａと、該シャーシ本体３Ａに被せた蓋板３Ｂと
からなるローダーシャーシ３を有し、該ローダーシャーシ３の前面にディスクＤを搬入ａ
及び搬出ｂするためのディスク挿入口４が形成され、ローダーシャーシ３内のシャーシ本
体３Ａの前部にターンテーブル５付きスピンドルモータ６が配置され、シャーシ本体３Ａ
上のガイドロッド８に係合されてターンテーブル５上のディスクＤの半径方向に沿って移
動可能な光ピックアップ７が設けられ、シャーシ本体３Ａに枢支軸１０を中心に矢印ｃ，
ｄに回動可能に枢支された可動枠１１が設けられ、ターンテーブル５に対向してクランパ
９が可動枠１１に一定範囲内移動可能に取り付けられ、該可動枠１１にディスクＤの挿入
を検知する検知レバー１２が搬入出ａ，ｂ方向に移動可能に設けられている。
【０００４】
前記ディスク挿入口４に接近して蓋板３Ｂの裏面にガイドフラップ１４が配置されると
共に、該ガイドフラップ１４に対向してガイドローラ１５が設けられている。
【０００５】
従来、ディスク装置１の要部として図７〜図９に示すものがあり、図７は同要部の分解
斜視図、図８は同要部の正面図、図９（ａ）及び（ｂ）はディスクの搬入出状態を示す概
略説明図である。
【０００６】
前記ガイドローラ１５は、金属製芯軸１５Ａの外周面に軟質ゴムなどの弾性体１５Ｂを
嵌着させたものであって、該弾性体１５Ｂの外周面が芯軸１５Ａの中央からその両端に向
かって外径を徐々に大きくした一対のテーパ面１５ａ，１５ｂに形成され、その各テーパ
面１５ａ，１５ｂの傾斜角度αは、図９（ａ）では誇張しているが、例えば０．５〜３°
程度の小角度である。
【０００７】
図７に示すように、ガイドローラ１５はモータ（図示せず）により正逆回転ｅ，ｆされ
ると共に、連動機構（図示せず）によりガイドフラップ１４に対して接近離間ｇ，ｈ可能
に形成されている。
【０００８】
図７及び図８に示すように、前記ガイドフラップ１４は、硬質合成樹脂からなり、蓋板
３Ｂと平行するフラップ本体１４Ａと、該フラップ本体１４Ａのディスク対向面１４ａの
両端に搬入出ａ，ｂ方向に沿って一体突設した一対のガイド枠１４Ｂとを有し、フラップ
本体１４Ａが複数のビス１６で蓋板３Ｂに止着され、フラップ本体１４Ａの中央に所定間
隔をおいて貫設した一対の孔１７内にディスクＤの搬入ａを検知するための搬入センサ１
８が配置されると共に、そのフラップ本体１４Ａの奥側端縁に沿って貫設した一対の孔１
９内にディスクＤの搬出ｂを検知するための搬出センサ２０が配置されている。
【０００９】
図７及び図８に示すように、前記フラップ本体１４Ａのディスク対向面１４ａの両端に
第１〜第６の突条部２１〜２６が搬入出ａ，ｂ方向に所定間隔をおいてガイドローラ１５
と平行して一体突設されており、第１及び第２の突条部２１，２２はディスク対向面１４
ａのディスク挿入口近傍の両端に一体突設され、第３及び第４の突条部２３，２４はガイ
ドローラ１５に接近してディスク対向面１４ａの中央部の両端に一体突設され、第５及び
第６の突条部２５，２６はガイドローラ１５に接近してディスク対向面１４ａの奥端近傍
の両端に一体突設されている。
【００１０】
前記各突条部２１〜２６の頂縁２１ａ〜２６ａが搬入出ａ，ｂ方向とは直交する方向に
延びて各テーパ面１５ａ，１５ｂとは逆方向に傾斜されており、その傾斜角度βは、図９
（ａ）では誇張しているが、例えば０．５〜３°程度の小角度である。
【００１１】
上記構成において、ローディング時には、図５の一点鎖線から実線で示すように、ディ
スクＤを垂直状態にしてディスク挿入口４に挿入し、その挿入を搬入センサ１８で検知す
ると（図８二点鎖線参照）、その検知信号に基づいてガイドローラ１５が正転ｅされ、図
６の実線で示すように、ディスクＤがガイドローラ１５の各テーパ面１５ａ，１５ｂと各
突条部２１〜２６の傾斜状頂縁２１ａ〜２６ａとで挟持された状態で搬入ａされる。
【００１２】
この搬入ａ時には、図９（ａ）に示すように、ガイドローラ１５の各テーパ面１５ａ，
１５ｂと各突条部２１〜２６の傾斜状頂縁２１ａ〜２６ａとによりディスクＤの外周縁が
該ディスクＤの中心に向かって押されるため、そのディスクＤがターンテーブル５に対し
て自動的に同心状に位置決めされる。
【００１３】
搬入ａしたディスクＤが検知レバー１２に当たって、該検知レバー１２が後退されると
、それに連動する連動機構によりガイドローラ１５がガイドフラップ１４から離間ｈされ
（図６仮想線参照）、可動枠１１が矢印ｄ方向に回動してクランパ９がディスクＤを介し
てターンテーブル５上に載置され、そのクランパ９とターンテーブル５とでディスクＤが
クランプされる（図６仮想線参照）。続いて、スピンドルモータ６によりターンテーブル
５を介してディスクＤが高速回転され、光ピックアップ７によりそのディスクＤに記録さ
れている情報を読み取る。
【００１４】
アンローディング時には、上記とはほぼ逆の手順でディスクＤを搬出ｂさせ、それを搬
出センサ２０で検知すると（図８一点鎖線参照）、その検知信号に基づいてガイドローラ
１５の逆転ｆによる搬出ｂを停止し、図９（ｂ）に示すように、ガイドローラ１５のテー
パ面１５ａ，１５ｂと第３、第４の突条部２３，２４の傾斜状頂縁２３ａ，２４ａとでデ
ィスクＤを挟持して、該ディスクＤの半分以上がディスク挿入口４から外に突出されてい
る待機状態を保持し（図５実線参照）、その待機状態のディスクＤを指部で把持して取り
外す。なお、関連する技術として特許文献１に記載したものがある。
【先行技術文献】
【特許文献】
【００１５】
【特許文献１】特許第４１５６４９０号公報
【発明の概要】
【発明が解決しようとする課題】
【００１６】
上記従来の構成では、アンローディング時に、ガイドローラ１５の逆転ｆによる搬出ｂ
を停止させ、図５に実線で示すように、ディスクＤの半分以上をディスク挿入口４から外
に突出させて該ディスクＤを待機させたとき、図９（ｂ）に示すように、ディスクの外周
縁上部に対して第３突条部２３の傾斜状頂縁２３ａの端部がわずかにかかっているだけで
、そのディスクＤに対する挟持力が小さいため、待機状態にしたディスクＤがディスク挿
入口４から不測に落下して損傷されるおそれがある（図５二点鎖線）。
【００１７】
そこで、ガイドローラ１５のガイドフラップ１４に対する押付力を強くすることが考え
られるが、これでは、図９（ａ）に示すように、ディスクＤがガイドローラ１５とガイド
フラップ１４との間を通過する際に、そのガイドローラ１５のテーパ面１５ａ，１５ｂと
各突条部２１〜２６の傾斜状頂縁２１ａ〜２６ａとでディスクＤの外周縁が強く挟持され
るため、そのディスクＤの外周縁が傷付けられるおそれがある。
【００１８】
本発明は、上記従来の欠点に鑑み、ディスクを傷付けず待機状態から不測に落下しない
ようにしたディスク装置を提供することを目的としている。
【課題を解決するための手段】
【００１９】
上記目的を達成するため、請求項１に記載の発明は、シャーシ本体と該シャーシ本体に
被せた蓋板とからなるローダーシャーシ内にターンテーブル及び光ピックアップが配置さ
れ、該ローダーシャーシの前面のディスク挿入口に接近して蓋板にガイドフラップが固定
されると共に、該ガイドフラップに対して接近離間可能で正逆回転可能なガイドローラが
設けられ、該ガイドローラの外周面にそのガイドローラの中央からその両端に向かって外
径を徐々に大きくした一対のテーパ面が形成され、前記ガイドフラップのディスク対向面
の両端に所定間隔をおいて複数の突条部がガイドローラと平行して一体突設され、該各突
条部の頂縁が前記各テーパ面とは逆方向に傾斜されており、ローディング時に、ディスク
を垂直状態にしてディスク挿入口に挿入し、その挿入したディスクをガイドローラの各テ
ーパ面と各突条部の傾斜状頂縁とで挟持して搬入させ、該ディスクをターンテーブルによ
り高速回転させて光ピックアップによりそのディスクに記録されている情報を読み取り、
アンローディング時に、上記とはほぼ逆の手順でディスクを搬出させ、該ディスクをガイ
ドローラの各テーパ面と各突条部の傾斜状頂縁とで挟持して、そのディスクの半分以上が
ディスク挿入口から外に突出されている待機状態を保持するようにしたディスク装置にお
いて、前記ガイドフラップのディスク対向面における待機状態のディスクの外周縁上部に
対向する部分を挟持区域とし、その挟持区域をガイドローラに向けてわずかに膨らませて
膨出面が形成されていることを特徴としている。
【００２０】
請求項２に記載の発明は、請求項１に記載の発明において、前記ガイドフラップの裏面
の挟持区域に対向する位置に突起部が一体突設されており、該突起部を前記蓋板に押し付
けることにより、挟持区域をガイドローラに向けてわずかに膨らませて膨出面が形成され
ていることを特徴としている。
【発明の効果】
【００２１】
請求項１に記載の発明によれば、アンローディング時にディスク挿入口から半分以上が
外部に突出された待機状態のディスクの外周縁上部を挟持区域の膨出面とガイドローラの
上側テーパ面とで挟持するので、そのディスクの待機状態を確実に保持することができ、
従来にように待機状態のディスクがディスク挿入口から不測に落下して損傷されるのを防
ぐことができる。
【００２２】
また、ガイドローラのガイドフラップに対する押付力を強くする必要がないので、その
ガイドローラのテーパ面と各突条部の傾斜状頂縁とでディスクの外周縁を強く挟持される
ことがなくなり、ディスクの外周縁が傷付けられないようにできる。
【図面の簡単な説明】
【００２３】
【図１】本発明の実施の一形態であるディスク装置の要部の分解斜視図である。
【図２】同要部の正面図である。
【図３】同要部のガイドフラップの裏面側斜視図である。
【図４】（ａ）及び（ｂ）は同ディスクの搬入出状態を示す概略説明図である。
【図５】ディスク装置を配置した薄型テレビを示す斜視図である。
【図６】同ディスク装置の縦断面図である。
【図７】従来のディスク装置の要部の分解斜視図である。
【図８】同要部の正面図である。
【図９】（ａ）及び（ｂ）は同ディスクの搬入出状態を示す概略説明図である。
【発明を実施するための形態】
【００２４】
図１〜図４は例えば液晶テレビなの薄型テレビ２（図５参照）に配置されるＤｉｓｃス
ロットローディング機構方式のＢｌｕ−ｒａｙ  Ｄｉｓｃ式ディスク装置１の要部を示す
ものであって、ガイドフラップ１４のフラップ本体１４Ａが、ディスク対向面１４ａを形
成するガイド板２８と、該ガイド板２８の裏面に格子状に一体形成した複数の縦桟２９及
び横桟３０とからなり、ディスク対向面１４ａにおける待機状態のディスクＤ（図２一点
鎖線参照）の外周縁上部に対向する部分を挟持区域Ａとし、各縦桟２９の挟持区域Ａに対
向する位置に所定高さｈ（例えば０．０１〜１．００ｍｍ）の突起部３１が一体突設され
ており、該各突起部３１を蓋板３Ｂに押し付けることにより、ディスク対向面１４ａにお
ける挟持区域Ａをガイドローラ１５に向けてわずかに膨らませて膨出面３２が形成されて
いる。上記以外の構成は図５〜図９に示す構成とほぼ同じであるから、同一部分に同一符
号を付してその説明を省略する。
【００２５】
上記構成において、ローディング時の作用効果は従来とほぼ同じであるから、その説明
を省略する。アンローディング時には、上記とはほぼ逆の手順でディスクＤを搬出ｂさせ
、それを搬出センサ２０で検知すると（図２一点鎖線参照）、その検知信号に基づいてガ
イドローラ１５の逆転ｆによる搬出ｂを停止し、図４（ｂ）に示すように、ガイドローラ
１５のテーパ面１５ａ，１５ｂと第３、第４の突条部２３，２４の傾斜状頂縁２３ａ，２
４ａとでディスクＤを挟持するわけであるが、ここで特に、挟持区域Ａの膨出面３２にデ
ィスクＤの外周縁上部が接触され、その膨出面３２と上側テーパ面１５ａとによってもデ
ィスクＤの外周縁上部が挟持される。
【００２６】
上記構成によれば、図５に実線で示すように、アンローディング時にディスク挿入口４
から半分以上が外部に突出された待機状態のディスクＤの外周縁上部を挟持区域Ａの膨出
面３２と上側テーパ面１５ａとで挟持するので、そのディスクＤの待機状態を確実に保持
することができ、従来にように待機状態のディスクＤがディスク挿入口４から不測に落下
して損傷されるのを防ぐことができる（図５二点鎖線参照）。
【００２７】
また、ガイドローラ１５のガイドフラップ１４に対する押付力を強くする必要がないの
で、そのガイドローラ１５の各テーパ面１５ａ，１５ｂと各突条部２１〜２６の傾斜状頂
縁２１ａ〜２６ａとでディスクＤの外周縁を強く挟持されることがなくなり、そのディス
クＤの外周縁が傷付けられないようにできる。
【符号の説明】
【００２８】
１              ディスク装置
３              ローダーシャーシ
３Ａ            ローダーシャーシのシャーシ本体
３Ｂ            ローダーシャーシの蓋板
４              ディスク挿入口
５              ターンテーブル
７              光ピックアップ
１４            ガイドフラップ
１４Ａ          ガイドフラップのフラップ本体
１４ａ          フラップ本体のディスク対向面
１５            ガイドローラ
１５ａ，１５ｂ  ガイドローラのテーパ面
２１〜２６      第１〜第６の突条部
２１ａ，２６ａ  第１〜第６の突条部の頂縁
３１            突起部
３２            膨出面
Ａ              挟持区域
【図１】
2011113600.tif 000003
【図２】
2011113600.tif 000004
【図３】
2011113600.tif 000005
【図４】
2011113600.tif 000006
【図５】
2011113600.tif 000007
【図６】
2011113600.tif 000008
【図７】
2011113600.tif 000009
【図８】
2011113600.tif 000010
【図９】
2011113600.tif 000011